(57)【特許請求の範囲】
【請求項１】
おむつ本体（１）の長手方向の腹当て部（２）と背当て部（３）との間に尻当て部（６）を備えたペット用使い捨ておむつにおいて、前記尻当て部（６）に、ペット（Ａ）の尻尾（Ｂ）を通す第１尻尾穴（７）と、ペット（Ａ）の肛門部の後側を開放する糞排泄穴（８）とを前記長手方向の長穴状に設け、前記おむつ本体（１）の外側で前記第１尻尾穴（７）、前記糞排泄穴（８）の外周側に、上部側が前記第１尻尾穴（７）及び前記糞排泄穴（８）に対応し且つ前記糞排泄穴（８）よりも下側にペット（Ａ）から排泄された糞を受ける糞溜まり部（２４）ができるように糞ポケット（９）を貼着し、前記糞ポケット（９）の外側の上部に、ペット（Ａ）の尻尾（Ｂ）を通す第２尻尾穴（２８）を前記第１尻尾穴（７）に対応して設け、前記糞ポケット（９）における前記第２尻尾孔（２８）よりも上側に、必要に応じて開封することにより糞ポケット（９）内の糞を外に排出するための開封部（３１）を有することを特徴とするペット用使い捨ておむつ。
【請求項２】
前記糞ポケット（９）はガゼット部（２５）を有する袋状であり、該糞ポケット（９）は、その内側の上部に形成され且つ前記第１尻尾穴（７）及び前記糞排泄穴（８）を取り囲む開口部（２６）の外周側で前記おむつ本体（１）に貼着したことを特徴とする請求項１に記載のペット用使い捨ておむつ。
【請求項３】
前記糞ポケット（９）は、前記おむつ本体（１）の外側シート（１１）と、該外側シート（１１）の外側面に貼着されたシート材（３０）とにより構成したことを特徴とする請求項１又は２に記載のペット用使い捨ておむつ。
【請求項４】
前記シート材（３０）の左右両側にガゼット部（２５）を設けたことを特徴とする請求項３に記載のペット用使い捨ておむつ。
【請求項５】
前記おむつ本体（１）は、該おむつ本体（１）の内外両側に前記腹当て部（２）と前記背当て部（３）との略全長に跨がって設けられた不織布製の内側シート（１０）及び外側シート（１１）と、前記腹当て部（２）側で前記内側シート（１０）と前記外側シート（１１）との間に介在された尿吸収体（４）と、該尿吸収体（４）と前記外側シート（１１）との間に介在された尿漏れ防止フィルム（５）とを備えたことを特徴とする請求項１〜４の何れかに記載のペット用使い捨ておむつ。
【発明の詳細な説明】
【０００１】
【発明の属する技術分野】
本発明は、犬、猫等のペットに使用するペット用使い捨ておむつに関し、ペットから排泄された糞をおむつ本体の外側の糞ポケットで受けるようにしたものである。
【０００２】
【従来の技術】
犬、猫等のペットに使用するペット用使い捨ておむつは、従来、特許２９８３９２９号公報に記載されるように、おむつ本体の腹当て部から背当て部に跨がって設けられた不織布製の内側シートとプラスチック製の外側シートとの間にパルプ、高分子吸収剤等からなる尿吸収体が介在され、腹当て部と背当て部との間に尻尾穴が設けられている。
【０００３】
そして、この使い捨ておむつの使用に際しては、おむつ本体の腹当て部をペットの腹側に、背当て部をペットの背中側に夫々あてがい、その腹当て部と背当て部とをファスナーテープで止めてペットに装着する。
【０００４】
【発明が解決しようとする課題】
従来の使い捨ておむつは、ペットから排泄された尿を尿吸収体で吸収し、糞をおむつ本体の内側で受けるようになっている。このためペットが糞をした場合には直ぐに新しいものと交換する等、適切な措置を講じる必要があり、糞の排泄後にそのまま放置しておけば、糞がペットの肛門部の周辺部分に付着して、その後の措置が煩わしくなる欠点がある。
【０００５】
本発明は、このような従来の問題点に鑑み、ペットに対する糞の付着を防止できるペット用使い捨ておむつを提供することを目的とする。
【０００６】
【課題を解決するための手段】
本発明は、おむつ本体１の長手方向の腹当て部２と背当て部３との間に尻当て部６を備えたペット用使い捨ておむつにおいて、前記尻当て部６に、ペットＡの尻尾Ｂを通す第１尻尾穴７と、ペットＡの肛門部の後側を開放する糞排泄穴８とを前記長手方向の長穴状に設け、前記おむつ本体１の外側で前記第１尻尾穴７、前記糞排泄穴８の外周側に、上部側が前記第１尻尾穴７及び前記糞排泄穴８に対応し且つ前記糞排泄穴８よりも下側にペットＡから排泄された糞を受ける糞溜まり部２４ができるように糞ポケット９を貼着し、前記糞ポケット９の外側の上部に、ペットＡの尻尾Ｂを通す第２尻尾穴２８を前記第１尻尾穴７に対応して設け、前記糞ポケット９における前記第２尻尾孔２８よりも上側に、必要に応じて開封することにより糞ポケット９内の糞を外に排出するための開封部３１を有するものである。また前記糞ポケット９はガゼット部２５を有する袋状であり、該糞ポケット９は、その内側の上部に形成され且つ前記第１尻尾穴７及び前記糞排泄穴８を取り囲む開口部２６の外周側で前記おむつ本体１に貼着する。
【０００７】
前記糞ポケット９は、前記おむつ本体１の外側シート１１と、該外側シート１１の外側面に貼着されたシート材３０とにより構成する。前記糞ポケット９は上部に糞排出用の開封部３１を有する。
【０００８】
前記おむつ本体１は、該おむつ本体１の内外両側に前記腹当て部２と前記背当て部３との略全長に跨がって設けられた不織布製の内側シート１０及び外側シート１１と、前記腹当て部２側で前記内側シート１０と前記外側シート１１との間に介在された尿吸収体４と、該尿吸収体４と前記外側シート１１との間に介在された尿漏れ防止フィルム５とを備えている。
【０００９】
【発明の実施の形態】
以下、本発明の各実施形態を図面に基づいて詳述する。図１〜図５は本発明のペット用使い捨ておむつの第１の実施形態を例示する。このペット用使い捨ておむつは、図５に示すようにペットＡのウエスト部から後側に装着して使用するものであり、図１〜図４に示すように、おむつ本体１の長手方向に、ペットＡの腹側に当てる腹当て部２と、ペットＡの背中側に当てる背当て部３とを備え、その腹当て部２側に尿吸収体４と尿漏れ防止フィルム５とが介在され、少なくとも背当て部３側が通気性を有する構造になっている。
【００１０】
またおむつ本体１には、その腹当て部２と背当て部３との中間の尻当て部６にペットＡの尻尾Ｂを通す第１尻尾穴７と、ペットＡの肛門部の後側を開放する糞排泄穴８とを備え、これらに対応しておむつ本体１の外側に糞ポケット９を備えている。
【００１１】
おむつ本体１は内外両側にその腹当て部２と背当て部３との略全長に跨がる不織布製の内側シート１０と外側シート１１とを備え、長手方向の両端側が中間部分よりも幅方向の両側に突出する広幅状の広幅部分１２，１３となっている。そして、腹当て部２側の広幅部分１２に、その端縁に沿って幅方向に一方のウエストバンド１４が設けられると共に、このウエストバンド１４よりも長手方向の内側で幅方向の両端部にファスナーテープ１５が設けられている。また背当て部３側の広幅部分１３に、その端縁に沿って幅方向に他方のウエストバンド１６とファスナーシート１７とが設けられている。なお、ファスナーシート１７は他方のウエストバンド１６よりも長手方向の内側に配置されている。
【００１２】
おむつ本体１の両広幅部分１２，１３間には、幅方向の両側にその端縁に沿って長手方向のフィットギャザー１９が設けられ、このフィットギャザー１９よりも幅方向の内側に長手方向のサイドギャザー２１が設けられている。
【００１３】
内側シート１０及び外側シート１１には、尿等を通す通水性と空気を内外に通す通気性とを有する材料、例えばプラスチック繊維、その他の繊維により構成された不織布製の不織布シートが使用されており、後述の尿吸収体４等の介在部分を除く略全面でホットメルト、その他により両者が内外に重合状に接着又は溶着されている。
【００１４】
内側シート１０は、センターシート２２とその幅方向の両側のサイドシート２３とにより構成されている。センターシート２２は少なくとも尿吸収体４を覆う幅を有し、おむつ本体１の幅方向の中央部分にその長手方向の略全長にわたって設けられ、外側シート１１に対応する部分がその外側シート１１に接着又は溶着されている。
【００１５】
各サイドシート２３はおむつ本体１の幅方向の両側部に配置され、センターシート２２よりも外側で外側シート１１に接着又は溶着されると共に、センターシート２２の幅方向の両端部の内面側に接着又は溶着され、このセンターシート２２との接着又は溶着部分よりも幅方向の内側が尿等の横漏れを防止するサイドギャザー２１となっている。
【００１６】
フィットギャザー１９はペットＡの後脚Ｄの付け根部におむつ本体１をフィットさせるためのもので、外側シート１１とサイドシート２３との間に長手方向に沿って介在されたゴム紐等の弾性紐１９ａを有し、尿吸収体４の両側から糞排泄穴８の両側に跨がる範囲に設けられている。サイドギャザー２１は、その内端縁に長手方向に沿って配置されたゴム紐等の弾性紐２１ａを有し、尿吸収体４の両側から第１尻尾穴７の両側又はその近傍に跨がる範囲に設けられている。
【００１７】
なお、この実施形態ではサイドギャザー２１は第１尻尾穴７の両側まで、又はそれ以上に背当て部３側に延びており、糞排泄穴８の両側又はその近傍までのフィットギャザー１９よりも背当て部３側に長くなっている。しかし、サイドギャザー２１の弾性紐２１ａは、尿吸収体４の端部からファスナーシート１７側に若干延びた部分までになっている。
【００１８】
尿吸収体４はペットＡが排泄した尿を吸収するためのもので、パルプ、高分子吸収剤等からなり、おむつ本体１の腹当て部２側の幅方向の中央部分に、そのウエストバンド１４の近傍から糞排泄穴８の近傍にわたって偏平状に介在されている。なお、尿吸収体４はペットＡが排泄した尿を吸収できるものであれば、パルプ、高分子吸収剤等以外のものを使用しても良い。
【００１９】
尿漏れ防止フィルム５は尿吸収体４に吸収された尿の外側への漏れを防止するためのもので、尿吸収体４と外側シート１１との間に介在されている。この尿漏れ防止フィルム５は防水性を有するプラスチック製のフィルム等により構成され、尿吸収体４の全体を外側から完全に覆うように、尿吸収体４に対応してそれよりも若干広い範囲に設けられている。
【００２０】
そして、この尿漏れ防止フィルム５は、その外側面の略全面、一部又は少なくとも外周縁部が外側シート１１にホットメルト、その他により接着又は溶着され、また尿吸収体４が動かないように内側面の外周縁部がセンターシート２２及び／又はサイドシート２３にホットメルト、その他により接着又は溶着されている。なお、尿漏れ防止フィルム５には、防水処理を施した薄手の紙等を使用しても良い。
【００２１】
第１尻尾穴７と糞排泄穴８は腹当て部２と背当て部３との中間の尻当て部６の幅方向の略中央に、その第１尻尾穴７が背当て部３側となり糞排泄穴８が腹当て部２となるように、おむつ本体１の長手方向に連続する長穴状に設けられている。そして、糞排泄穴８は大径丸穴状に形成され、また第１尻尾穴７はこの糞排泄穴８に連続し且つ糞排泄穴８よりも小さい小径穴状に形成され、両者が全体として略ダルマ穴状になっている。
【００２２】
糞排泄穴８はペットＡの肛門部に対応させたときに、排泄された糞がおむつ本体１に付着しないように、肛門部の後側を十分に開放し得る程度の大きさである。また第１尻尾穴７と糞排泄穴８は、ペットＡに対しておむつ本体１を装着した場合に、ペットＡの尻尾Ｂが第１尻尾穴７を通り、且つ糞排泄穴８がペットＡの肛門部に対応してその後側を開放する程度の長さになっている。
【００２３】
糞ポケット９はペットＡから排泄された糞を受けるためのものであり、この糞ポケット９は、少なくとも装着状態において糞排泄穴８よりも下側となる糞溜まり部２４側の周縁に適宜ガゼット部２５を有する袋状であって、防水性を有するプラスチック製のフィルム等の適宜シート材により、おむつ本体１の長手方向に沿って縦長状に構成されている。
【００２４】
そして、この糞ポケット９は、上部の内側におむつ本体１の糞排泄穴８及び第１尻尾穴７を取り囲む大きさの開口部２６と、この開口部２６の外周側に形成された貼着部２７とを有し、装着状態において下部側の糞溜まり部２４が糞排泄穴８よりも下側に垂れ下がるように、開口部２６を糞排泄穴８及び第１尻尾穴７に対応させて上部側の貼着部２７がおむつ本体１の尻当て部６の外側で外側シート１１に、ホットメルト、その他の接着又は溶着により貼着されている。
【００２５】
従って、ペットＡから排泄された糞は、おむつ本体１の糞排泄穴８を経て開口部２６から糞ポケット９内に入り、その糞排泄穴８よりも下側の糞溜まり部２４に溜まるようになっている。
【００２６】
糞ポケット９には、その外側の上部におむつ本体１の第１尻尾穴７に対応する第２尻尾穴２８が設けられている。なお、第１尻尾穴７、糞排泄穴８、糞ポケット９は、おむつ本体１の幅方向の略中央に配置されている。
【００２７】
ウエストバンド１４，１６はプラスチック製等の弾性帯からなり、内側シート１０と外側シート１１との間に介在してホットメルト、その他により接着又は溶着されている。ファスナーシート１７はホットメルト、その他によりおむつ本体１の外側面に接着又は溶着されている。ファスナーテープ１５は、ファスナーシート１７の端部に貼付して止めるためのもので、おむつ本体１の幅方向の両端に設けられ、通常はおむつ本体１の内側に折り込まれている。
【００２８】
このペット用使い捨ておむつを使用する場合には、犬等のペットＡに対して図５に示すように装着する。装着に際しては、犬等のペットＡの股間を経て腹当て部２が腹側となり、背当て部３が背中側となるようにおむつ本体１をあてがい、幅方向の両側のファスナーテープ１５をファスナーシート１７に貼着する。
【００２９】
装着状態では、ウエストバンド１４，１６により腹当て部２及び背当て部３が適度な締まりでペットＡのウエスト部分に巻き付き、またフィットギャザー１９が適度な締まりで後脚Ｄの付け根部に巻き付いて、おむつ本体１でペットＡのウエスト部から後側を包み込む。
【００３０】
この場合、おむつ本体１の糞排泄穴８をペットＡの肛門部に対応させておれば、糞ポケット９はおむつ本体１の外側で垂れ下がった状態になる。しかし、糞ポケット９には、おむつ本体１の第１尻尾穴７に対応して第２尻尾穴２８があるので、その両尻尾穴７，２８に尻尾Ｂを通せば良く、糞ポケット９が尻尾Ｂの邪魔になることはない。
【００３１】
ペットＡが糞を排泄した場合には、その糞は糞排泄穴８から開口部２６を経て糞ポケット９に入り、その下側の糞溜まり部２４に溜まる。従って、従来のおむつ本体１の内側で糞を受ける場合のようにペットＡの肛門部の周辺に糞が付着することはない。また糞ポケット９の糞溜まり部２４に糞が溜まっているので、使用後には糞の入った糞ポケット９をおむつ本体１に丸め込んでファスナーテープ１５で止めて廃棄する等、使用後の処理も容易にできる。
【００３２】
夏等の暑い季節に使い捨ておむつを装着する場合、おむつ本体１の内部の温度、湿度等が上昇して蒸れが発生する惧れがある。しかし、この使い捨ておむつでは、内側シート１０の他に外側シート１１に不織布シートが使用されており、おむつ本体１の少なくとも背当て部３、即ち尿吸収体４の外側の尿漏れ防止フィルム５に対応する部分以外の部分を、通気性を有する不織布により構成しているので、尿漏れ防止フィルム５に対応する部分以外では常に所定の通気性を確保できる。従って、おむつ本体１、取り分けその背当て部３側に所定の通気性があるため、夏等の暑い季節でも内部の蒸れの発生を極力少なくできる。このためペットＡは、装着状態でも快適に過ごすことができる。
【００３３】
また外側シート１１に通気性を有する不織布シートを使用しているにも拘らず、尿吸収体４とその外側の外側シート１１との間に尿漏れ防止フィルム５を設けているので、尿吸収体４に吸収された尿が漏れた場合でも、その尿が外側シート１１側に漏れることはない。
【００３４】
図６、図７は本発明の第２の実施形態を例示する。このペット用使い捨ておむつは、おむつ本体１の尻当て部６を含む背当て部３側に、その糞ポケット９の幅方向に通気穴２９が設けられている。
【００３５】
この実施形態では、おむつ本体１のセンターシート２２の幅方向の両端側から、その両側の各サイドシート２３に対応する部分に通気穴２９が配置されている。そして、通気穴２９はおむつ本体１の長手方向に長い長穴状に形成され、ファスナーシート１７の近傍から、腹当て部２側の端部が糞排泄穴８の両側近傍に達する範囲に設けられている。センターシート２２とサイドシート２３は、通気穴２９の周辺部分ではホットメルト、その他で接着又は溶着されており、サイドギャザー２１の通気穴２９側の端部近傍までとなっている。他の構成は、第１の実施形態と略同一である。
【００３６】
このようにおむつ本体１の背当て部３側に通気穴２９を設けることによって、内側シート１０及び外側シート１１が通気性を有する不織布製であることと相まって、背当て部３側の通気性を更に向上させることができる。
【００３７】
また通気穴２９はファスナーシート１７の近傍から、通気穴２９の腹当て部２の端部が糞排泄穴８側とおむつ本体１の長手方向にオーバーラップする範囲に形成しているので、通気領域を十分に確保できる。
【００３８】
図８〜図１０は本発明の第３の実施形態を例示する。このペット用使い捨ておむつは、糞ポケット９がおむつ本体１の外側シート１１と、この外側シート１１の外側面に貼着されたシート材３０とにより構成されている。
【００３９】
シート材３０は縦長状であって、幅方向の両側にガゼット部２５を有し、その上部側が第１尻尾穴７及び糞排泄穴８に対応し且つ糞排泄穴８よりも下側に糞溜まり部２４ができるように、上下両端部と左右両端部がおむつ本体１の外側シート１１にホットメルト、その他の接着又は溶着されている。
【００４０】
糞ポケット９の上部には、第１尻尾穴７に対応する第２尻尾穴２８が設けられるとともに、この第２尻尾穴２８よりも上側、例えばその上端の固着部３０ａの近傍等に幅方向に開封部３１が形成されている。開封部３１はシート材３０の上端側に幅方向にミシン目、ハーフカット等を形成することにより、必要に応じて容易に開封できるようになっており、糞ポケット９内の糞をおむつ本体１と別に廃棄する場合には、この開封部３１を開封して糞を排出する。なお、開封部３１は第２尻尾穴２８よりも下側に設けても良い。その他の構成は第１の実施形態と同様である。
【００４１】
糞ポケット９はこの実施形態に例示するように、おむつ本体１の外側にシート材３０を貼着して構成しても良い。この場合にもシート材３０にガゼット部２５を設ける等によって、糞溜まり部２４の容積を確保できる。また糞ポケット９の上部にミシン目等の開封部３１を設けておれば、糞をトイレの便器に流す場合には、この開封部３１を開封してそこから糞を排出することもできる。
【００４２】
従って、使用後の使い捨ておむつと糞とを一緒に処理する場合は勿論のこと、おむつ本体１と糞とを別々に処理する場合にも便利である。なお、糞ポケット９の上端を開口状に構成し、その開口部分から糞ポケット９内の糞を排出するようにしても良い。
【００４３】
図１１〜図１４は本発明の第４の実施形態を例示する。このペット用使い捨ておむつは、糞ポケット９が内側シート材３２と外側シート材３３との周縁部を貼着して構成され、その内側シート材３２がおむつ本体１の外側に貼着されている。
【００４４】
内側シート材３２、外側シート材３３には防水性を有するプラスチック製のフィルム、その他のシート材が使用されている。なお、内側シート材３２、外側シート材３３の両方、又は内側シート材３２には通気性を有するものを使用しても良い。
【００４５】
内側シート材３２はおむつ本体１の第１尻尾穴７及び糞排泄穴８に対応する開口部２６が形成され、その開口部２６の周縁部分と内側シート材３２の外周縁部分、又は全面がおむつ本体１の外側シート１１にホットメルト、その他の接着又は溶着等により貼着されている。なお、内側シート材３２の外周縁部は装着状態で上側となる部分を除いて周方向に所定の間隔を置いてスポット的に貼着しても良い。
【００４６】
外側シート材３３は図１４（Ａ）及び（Ｂ）に示すように、その幅方向の両側を２カ所の折れ線３４，３５に沿ってＺ状に、次いでその長手方向の一端側で且つ装着状態で下側となる側を同様に折れ線３６，３７に沿ってＺ状に夫々折り畳み、その後に折れ線３５，３７よりも外側で外側シート材３３の端縁部を内側シート材３２の端縁部に重ねて、内側シート材３２と外側シート材３３との端縁部をホットメルト、その他の接着又は溶着している。従って、糞ポケット９は上端側が開口状になっている。外側シート材３３には第２尻尾穴２８が形成されている。他の構成は、第１の実施形態と同様である。
【００４７】
糞ポケット９は、この実施形態に例示するように内側シート材３２と外側シート材３３とを貼着して構成しても良い。この場合にも糞ポケット９の外周にガゼット部２５があるので、糞溜まり部２４の容積を容易に確保できる。また糞ポケット９の上端側が開口になっているので、糞の廃棄も容易にできる。
【００４８】
図１５は本発明の第５の実施形態を例示する。このペット用使い捨ておむつは、外側シート材３３の長手方向の両端側を折れ線３６，３７に沿ってＺ状に夫々折り畳み、その後に折れ線３５，３７よりも外側で外側シート材３３の端縁部を内側シート材３２の端縁部に重ねて貼着している。他の構成は第４の実施形態と同様である。この場合にも、糞ポケット９の上側を密封状にできる。外側シート材３３に開封部３１を設けても良い。
【００４９】
以上、本発明の各実施形態について詳述したが、本発明は各実施形態に限定されるものではなく、その趣旨を逸脱しない範囲内で種々の変更が可能である。第１の実施形態では、外側シート１１と内側シート１０とに不織布製を用いて背当て部３側の通気性を確保し、第２の実施形態では外側シート１１と内側シート１０とを不織布製とし、更にこれに通気穴２９を形成して背当て部３側の通気性を確保しているが、通気穴２９を形成する場合には、外側シート１１を通気性のない材料、例えばプラスチック製のフィルム等により構成することも可能である。従って、通気穴２９を形成する場合には、必ずしも外側シート１１を不織布製にする必要はない。
【００５０】
また第２の実施形態では、糞ポケット９の左右両側に通気穴２９をおむつ本体１の長手方向に長い長穴状に形成しているが、糞ポケット９の貼着部分以外において、その背当て部３、又は背当て部３及び尻当て部６の略全域に多数の小さい通気穴２９を略均等に分散させて配置することも可能である。
【００５１】
尿漏れ防止フィルム５は尿吸収体４よりも若干広い範囲に設け、尿漏れ防止フィルム５以外の部分では内側シート１０、外側シート１１の通気性を確保できるようにしているが、尿吸収体４の尿が漏れない部分であれば、尿漏れ防止フィルム５の幅方向の両側で腹当て部２側に通気穴２９を設けることも可能である。
【００５２】
通気穴２９が小穴状の場合には、ファスナーシート１７の部分に設けても良い。更に通気穴２９は、その一部がサイドギャザー２１の外側に位置するように、おむつ本体１の幅方向の両端部を除く略全範囲にわたって広範囲に設けることが望ましい。通気穴２９は長穴、丸穴、その他の適宜形状にすれば良い。通気穴２９はおむつ本体１をペットＡに装着したときに開口状になるようにスリット状に形成しても良いし、装着したときにもスリット状のままとなるように形成しても良い。
【００５３】
第１尻尾穴７と糞排泄穴８とをダルマ穴状に設けているが、これはおむつ本体１の長手方向に沿った長穴状であれば、長円状、長角穴状にする等、他の穴形状でも良いし、また糞排泄穴８と第１尻尾穴７とを夫々独立して設けても良い。
【００５４】
外側シート１１に通気性を有する不織布等を使用する場合には、尿吸収体４の尿が漏れないように尿漏れ防止フィルム５を設ける必要があるが、外側シート１１に通気性のないプラスチックフィルム等を使用して、おむつ本体１の背当て部３側に通気穴２９を形成する場合には、外側シート１１で尿の漏れを防止できるので、尿漏れ防止フィルム５を設ける必要はない。
【００５５】
尿漏れ防止フィルム５は腹当て部２側の幅方向の略全体に設けても良い。尿吸収体４は腹当て部２側から糞排泄穴８の幅方向の両側に達する範囲に設けても良い。センターシート２２とサイドシート２３とを１枚の内側シート１０により構成しても良い。
【００５６】
糞ポケット９は各実施形態に例示以外の構造、形状にしても良い。例えば、各実施形態では背面視形状をおむつ本体１の長手方向に長い矩形状に構成しているが、装着状態で下側となる糞溜まり部２４側の幅を広くし、上部側の幅を狭くすることも可能である。また糞ポケット９は、その左右両側にガゼット部２５のない構造でも良い。
【００５７】
更に糞ポケット９は、おむつ本体１の外側にあれば十分であり、例えばおむつ本体１の外側シート１１に防水性のプラスチック製フィルム等を使用する場合には、その外側シート１１の一部をおむつ本体１の外側に膨らませる等によって、外側シート１１により構成することも可能である。要するに糞ポケット９はペットＡから排泄された糞を受け得るものであれば、その構造、形状等は問題ではない。
【００５８】
また糞ポケット９をおむつ本体１の外側に着脱自在に設け、必要に応じておむつ本体１に対して着脱するようにしても良い。また糞ポケット９の上側を開放状に構成する場合に、その開口側を塞ぐ蓋を粘着剤等により開閉自在に設けても良い。糞ポケット９に糞排出用の開口を設ける場合には、その第２尻尾穴２８を幅方向に長く形成する等によって、第２尻尾穴２８から糞を排出するようにしても良い。また所定の大きさの第２尻尾穴２８と、この第２尻尾穴２８の幅方向の両側又は一方に拡開用のミシン目等の拡開部とを設けておき、その拡開部を破断又は切り裂いて糞を排出するようにしても良い。
【００５９】
【発明の効果】
本発明では、おむつ本体１の長手方向の腹当て部２と背当て部３との間に尻当て部６を備えたペット用使い捨ておむつにおいて、尻当て部６に、ペットＡの尻尾Ｂを通す第１尻尾穴７と、ペットＡの肛門部の後側を開放する糞排泄穴８とを長手方向の長穴状に設け、おむつ本体１の外側で第１尻尾穴７、糞排泄穴８の外周側に、上部側が第１尻尾穴７及び糞排泄穴８に対応し且つ糞排泄穴８よりも下側にペットＡから排泄された糞を受ける糞溜まり部２４ができるように糞ポケット９を貼着し、糞ポケット９の外側の上部に、ペットＡの尻尾Ｂを通す第２尻尾穴２８を第１尻尾穴７に対応して設け、糞ポケット９における第２尻尾孔２８よりも上側に、必要に応じて開封することにより糞ポケット９内の糞を外に排出するための開封部３１を有するので、ペットに対する糞の付着を防止でき、その後の処理も容易にできる。また糞ポケット９がペットＡの尻尾Ｂの邪魔になることもない。
【図面の簡単な説明】
【図１】本発明の第１の実施形態を示すペット用使い捨ておむつの平面図である。
【図２】本発明の第１の実施形態を示すペット用使い捨ておむつの内側の一部破断斜視図である。
【図３】本発明の第１の実施形態を示すペット用使い捨ておむつの外側の分解斜視図である。
【図４】（Ａ）は図１のＸ−Ｘ線断面図、（Ｂ）は図１のＹ−Ｙ線断面図である。
【図５】本発明の第１の実施形態を示すペット用使い捨ておむつの使用状態の斜視図である。
【図６】本発明の第２の実施形態を示すペット用使い捨ておむつの使用状態の斜視図である。
【図７】本発明の第２の実施形態を示すペット用使い捨ておむつの平面図である。
【図８】本発明の第３の実施形態を示すペット用使い捨ておむつの斜視図である。
【図９】本発明の第３の実施形態を示すペット用使い捨ておむつの縦断面図である。
【図１０】本発明の第３の実施形態を示すペット用使い捨ておむつの横断面図である。
【図１１】本発明の第４の実施形態を示すペット用使い捨ておむつの分解斜視図である。
【図１２】本発明の第４の実施形態を示す糞ポケットの斜視図である。
【図１３】本発明の第４の実施形態を示すペット用使い捨ておむつの横断面図である。
【図１４】本発明の第４の実施形態を示す外側シート材の折り畳み過程の説明図である。
【図１５】本発明の第５の実施形態を示すペット用使い捨ておむつの分解斜視図である。
【符号の説明】
１  おむつ本体
２  腹当て部
３  背当て部
４  尿吸収体
５  尿漏れ防止フィルム
７  第１尻尾穴
８  糞排泄穴
９  糞ポケット
１０  内側シート
１１  外側シート
２４  糞溜まり部
２５  ガゼット部
２８  第２尻尾穴
Ａ  ペット
【図１】
0003764393.tif 000002
【図２】
0003764393.tif 000003
【図３】
0003764393.tif 000004
【図４】
0003764393.tif 000005
【図５】
0003764393.tif 000006
【図６】
0003764393.tif 000007
【図７】
0003764393.tif 000008
【図８】
0003764393.tif 000009
【図９】
0003764393.tif 000010
【図１０】
0003764393.tif 000011
【図１１】
0003764393.tif 000012
【図１２】
0003764393.tif 000013
【図１３】
0003764393.tif 000014
【図１４】
0003764393.tif 000015
【図１５】
0003764393.tif 000016